(57)【要約】【課題】  電源投入時やチャンネル切換え時に記憶テーブルを参照することなく短時間で該当チャンネルに対応するＴＭＣＣ情報を取得することができるデジタル放送受信装置を提供する。【解決手段】  選局視聴するデジタル放送のチャンネルのデジタル放送信号を受信して復調する復調部と、チャンネル毎のＴＭＣＣ情報を放送時間毎の番組に対応させて記憶するＴＭＣＣ情報記憶テーブル１７と、該ＴＭＣＣ情報記憶テーブル１７に格納されているＴＭＣＣ情報から現在時刻における各チャンネルのＴＭＣＣ情報を抽出して格納するリアルタイムテーブル１８と、該リアルタイムテーブル１８に格納されているＴＭＣＣ情報に基づいて前記復調部で復調された放送信号のデータ再生制御処理を行うデータ再生制御部１５とを備えている。【選択図】  図１
2006191266.tif 000002
【特許請求の範囲】
【請求項１】
選局視聴するデジタル放送のチャンネルのデジタル放送信号を受信して復調する復調部と、チャンネル毎のＴＭＣＣ情報を放送時間毎の番組に対応させて記憶するＴＭＣＣ情報記憶テーブルと、該ＴＭＣＣ情報記憶テーブルに格納されているＴＭＣＣ情報から現在時刻における各チャンネルのＴＭＣＣ情報を抽出して格納するリアルタイムテーブルと、該リアルタイムテーブルに格納されているＴＭＣＣ情報に基づいて前記復調部で復調された放送信号のデータ再生制御処理を行うデータ再生制御部とを備えていることを特徴とするデジタル放送受信装置。
【請求項２】
前記データ再生制御部は、選局視聴するデジタル放送のチャンネルが設定されたときに、設定されたチャンネル番号に基づいて前記リアルタイムテーブルを参照して選局視聴するチャンネルに対応したＴＭＣＣ情報を選択し、選択したＴＭＣＣ情報に基づいてデータ再生制御処理を行うように構成されていることを特徴とする請求項１に記載のデジタル放送受信装置。
【請求項３】
前記リアルタイムテーブルはデジタル放送信号の受信を行っていないスタンバイ状態でも時刻に応じたＴＭＣＣ情報記憶テーブルからのＴＭＣＣ情報の更新を行うように構成されていることを特徴とする請求項２に記載のデジタル放送受信装置。
【請求項４】
前記ＴＭＣＣ情報記憶テーブルに記憶されているＴＭＣＣ情報を更新するＴＭＣＣ情報更新手段を有し、該ＴＭＣＣ情報更新手段は、前記復号部で復号した各チャンネル毎のＴＭＣＣ情報とＴＭＣＣ情報記憶テーブルに記憶されているＴＭＣＣ情報とを比較し、両者が異なる場合に前記復号部で復号した各チャンネル毎のＴＭＣＣ情報をＴＭＣＣ情報記憶テーブルに更新するように構成されていることを特徴とする請求項１乃至３の何れか１項に記載のデジタル放送受信装置。
【請求項５】
前記ＴＭＣＣ情報更新手段は、デジタル放送データに多重化して所定期間のＴＭＣＣ情報を一括して送信される一括ＴＭＣＣ情報を受信したときに、ＴＭＣＣ情報記憶テーブルを更新するように構成されていることを特徴とする請求項１乃至３の何れか１項に記載のデジタル放送受信装置。
【発明の詳細な説明】
【技術分野】
【０００１】
本発明は、放送衛星や地上局から送信されるデジタル放送電波又はケーブルを利用して送信されるケーブルテレビを利用して放送されるデジタル放送を受信するデジタル放送受信装置に関する。
【背景技術】
【０００２】
この種のデジタル放送受信装置としては、例えばＩＳＤＢ−Ｔ規格のＯＦＤＭ受信装置は、各放送局に対応させてＴＭＣＣ情報を予めメモリにプリセットしておき、このＴＭＣＣ情報にはＴＦ周波数、ガードインターバル長情報、時間方向のインタリーブパターン情報、キャリア変調方式、畳み込み符号の符号化率が含まれており、ユーザが放送局を選択すると、制御回路がその放送局に対応したＴＭＣＣ情報をメモリから読出し、受信動作開始と共に、読出したＴＭＣＣ情報を各回路に与え、例えばガードインターバルやキャリア変調方式等の設定を行い、受信開始から音声又は映像等が出力されるまでの初期立ち上がり時間を短縮するようにした受信装置が知られている（例えば、特許文献１参照）。
【０００３】
また、ＢＳデジタル放送の放送波を受信して伝送データを復調する復調部と、復調部により復調されたＢＳデジタル放送の伝送データを復号してトランスポートストリーム（ＴＳ）及びＴＭＣＣ情報を出力する復号部と、ＴＭＣＣ情報に基づき復調部及び復号部を制御するＴＭＣＣ制御部とを備え、ＴＭＣＣ制御部はＴＭＣＣ情報が外部から入力されるポートを有し、外部から入力されたＴＭＣＣ情報に基づき制御を行う外部ＴＭＣＣモードと、上記復号部から出力されたＴＭＣＣ情報に基づき制御を行う内部ＴＭＣＣモードとを、外部からの設定に基づき切り換えるようにしたＢＳデジタル放送復調／復号装置も知られている（例えば、特許文献２参照）。
【特許文献１】特開２００１−２９２１２１号公報（第１頁、図１）
【特許文献２】特開２００２−７７７６５号公報（第１頁、図１）
【発明の開示】
【発明が解決しようとする課題】
【０００４】
しかしながら、上記特許文献１に記載された従来例にあっては、制御回路がメモリにプリセットされた各放送局に対応させたＴＭＣＣ情報を読出し、読出したＴＭＣＣ情報を各回路に与えてガードインターバルやキャリア変調方式等の設定を行うものであるが、ＴＭＣＣ情報は各放送チャネルの各番組毎に異なるＴＭＣＣ情報が設定され、各デジタル放送局全体のＴＭＣＣ情報数が膨大なものとなり、選択されたチャンネルの現在時刻の番組に対応したＴＭＣＣ情報を抽出するために時間が掛かるという未解決の課題がある。
【０００５】
また、上記特許文献２に記載された従来例にあっては、外部ＴＭＣＣモードで外部から入力されたＴＭＣＣ情報に基づきＴＭＣＣ制御部で制御を行うようにしているが、ＴＭＣＣ情報を外部から与えるために、選択チャンネルとＴＭＣＣ情報とを一致させる必要があり、選択チャネル情報を外部に出力して該当するＴＭＣＣ情報を検索する必要があり、これに時間が掛かるという未解決の課題がある。
【０００６】
そこで、本発明は、上記従来例の未解決の課題に着目してなされたものであり、電源投入時やチャンネル切換え時に記憶テーブルを参照することなく短時間で該当チャンネルに対応するＴＭＣＣ情報を取得することができるデジタル放送受信装置を提供することを目的としている。
【課題を解決するための手段】
【０００７】
第１の発明に係るデジタル放送受信装置は、選局視聴するデジタル放送のチャンネルのデジタル放送信号を受信して復調する復調部と、チャンネル毎のＴＭＣＣ情報を放送時間毎の番組に対応させて記憶するＴＭＣＣ情報記憶テーブルと、該ＴＭＣＣ情報記憶テーブルに格納されているＴＭＣＣ情報から現在時刻における各チャンネルのＴＭＣＣ情報を抽出して格納するリアルタイムテーブルと、該リアルタイムテーブルに格納されているＴＭＣＣ情報に基づいて前記復調部で復調された放送信号のデータ再生制御処理を行うデータ再生制御部とを備えていることを特徴としている。
【０００８】
この第１の発明では、ＴＭＣＣ情報記憶テーブルに各デジタル放送チャンネルの各放送時間毎の番組に対応するＴＭＣＣ情報を記憶させておき、このＴＭＣＣ情報記憶テーブルに記憶されているＴＭＣＣ情報から現在時刻に対応する各チャンネルのＴＭＣＣ情報を抽出してリアルタイムテーブルに格納することにより、このリアルタイムテーブルから選択視聴するチャンネルの番組に対応したＴＭＣＣ情報を直ちに取得することができ、このＴＭＣＣ情報に基づいてデータ再生制御処理を行うことにより、電源投入時やチャンネル選択時に音声情報及び映像情報を直ちに再生することができる。
【０００９】
また、第２の発明に係るデジタル放送受信装置は、第１の発明において、前記データ再生制御部は、選局視聴するデジタル放送のチャンネルが設定されたときに、設定されたチャンネル番号に基づいて前記リアルタイムテーブルを参照して選局視聴するチャンネルに対応したＴＭＣＣ情報を選択し、選択したＴＭＣＣ情報に基づいてデータ再生制御処理を行うように構成されていることを特徴としている。
【００１０】
この第２の発明では、選局視聴するデジタル放送のチャンネルが設定されたときに、選択されたチャンネル番号に基づいてリアルタイムテーブルを参照して選局視聴するチャンネルに対応ＴＭＣＣ情報を正確に選択することができる。
さらに、第３の発明に係るデジタル放送受信装置は、第２の発明において、リアルタイムテーブルはデジタル放送信号の受信を行っていないスタンバイ状態でも時刻に応じたＴＭＣＣ情報記憶テーブルからＴＭＣＣ情報の更新を行うので、スタンバイ状態が解除された直後から選択されたチャンネルに対応するＴＭＣＣ情報を瞬時に取得することができる。
【００１１】
さらにまた、第４の発明に係るデジタル放送受信装置は、第１乃至第３の何れか１つの発明において、前記ＴＭＣＣ情報記憶テーブルに記憶されているＴＭＣＣ情報を更新するＴＭＣＣ情報更新手段を有し、該ＴＭＣＣ情報更新手段は、前記復号部で復号した各チャンネル毎のＴＭＣＣ情報とＴＭＣＣ情報記憶テーブルに記憶されているＴＭＣＣ情報とを比較し、両者が異なる場合に前記復号部で復号した各チャンネル毎のＴＭＣＣ情報をＴＭＣＣ情報記憶テーブルに更新するように構成されていることを特徴としている。
【００１２】
この第４の発明では、ＴＭＣＣ情報記憶テーブルが常時復号部で復号したチャンネル毎のＴＭＣＣ情報とＴＭＣＣ情報記憶テーブルに記憶されているＴＭＣＣ情報とを比較し、両者が異なる場合に復号部で復号したチャンネル毎のＴＭＣＣ情報をＴＭＣＣ情報記憶テーブルに更新するので、常にＴＭＣＣ情報記憶テーブルで常に最新のＴＭＣＣ情報を格納することができる。
【００１３】
なおさらに、第５の発明に係るデジタル放送受信装置は、第１乃至第３の何れか１つの発明において、前記ＴＭＣＣ情報更新手段は、デジタル放送データに多重化して所定期間のＴＭＣＣ情報を一括して送信される一括ＴＭＣＣ情報を受信したときに、ＴＭＣＣ情報記憶テーブルを更新するように構成されていることを特徴としている。
この第５の発明では、ＴＭＣＣ情報更新手段で、デジタル放送に多重化して送信される所定期間例えば１日、１週、１カ月の一括ＴＭＣＣ情報をデジタル放送信号に多重化して送信するようにし、これをＴＭＣＣ情報更新手段で受信することにより、ＴＭＣＣ情報を瞬時に更新することができ、ＴＭＣＣ情報更新時とチャネル切換時とが重なってＴＭＣＣ情報記憶テーブルが更新されるまで待ち時間が生じる確率を少なくすることができる。
【発明を実施するための最良の形態】
【００１４】
以下、本発明の実施の形態を図面に基づいて説明する。
図１は、本発明の第１の実施形態を示すブロック図であって、図中、１はデジタル放送受信装置であり、このデジタル放送受信装置１は、アンテナ２で受信したデジタル放送のＲＦ信号が供給されるＲＦ回路３を有する。このＲＦ回路３は、局部発振器及びミキサ等から構成され、アンテナ２から供給されるＲＦ信号をダウンコンバートしてＩＦ信号に周波数変換する。ここで、ＲＦ回路３は局部発振器の局部発振周波数が後述するコントローラから入力されるユーザーにより選択されたチャンネルに応じた局部発振周波数に設定される。
【００１５】
ＲＦ回路３から出力されるＩＦ信号は、Ａ／Ｄ変換器４でデジタル信号に変換された後、デジタル直交復調回路５に供給され、このデジタル直交復調回路５で、所定のキャリア周波数ｆｃのキャリア信号を用いて、デジタル化されたＩＦ信号を直交復調し、Ｉチャンネル信号及びＱチャンネル信号で構成されるベースバンドの時間領域のＯＦＤＭ信号を高速フーリエ変換回路（ＦＦＴ）６及び同期再生回路７に出力する。ここで、ＲＦ回路３、Ａ／Ｄ変換器４、デジタル直交復調回路５及び高速フーリエ変換回路６で復調部が構成されている。
【００１６】
同期再生回路７では、直交復調された時間領域のＯＦＤＭ信号からモードやガードインターバル長に応じて、ＯＦＤＭシンボル同期信号を再生し、再生したＯＦＤＭシンボル同期信号を高速フーリエ変換回路６に供給する。
高速フーリエ変換回路６では、ＯＦＤＭ信号の内、ガードインターバルを除いた有効シンボルに相当する期間について高速フーリエ変換処理を実行することにより、ＯＦＤＭ多重を解き、放送信号とＴＭＣＣ（Transmission and Multiplexing Configuration Control）信号とに分離し、ＴＭＣＣ信号を後述する同期再生回路に供給すると共に、放送信号をキャリア復調回路８に入力されて、このキャリア復調回路８で、放送信号をデータ系列の信号に変換して周波数デインタリーブ回路９に供給する。
【００１７】
この周波数デインタリーブ回路９では、送信側で周波数インタリーブされたデータを、そのインタリーブパターンに従ってデインタリーブ処理し、デインタリーブ処理したデータを時間デインタリーブ回路１０に供給する。
この時間デインタリーブ回路１０では、送信側で時間インタリーブされたデータを、インタリーブパターンに従ってデインタリーブ処理する。ＩＳＤＢ−Ｔ規格では、各モードでインタリーブパターンが５パターン定められている。例えば、モード１ではあれば、遅延補正シンボル数が０、２８、５６、１１２、２２４となるような、５つのパターンが規定されている。このデインタリーブするために用いられるインタリーブパターンは後述するコントローラ１５の制御によって設定される。
【００１８】
時間デインタリーブ回路１０から出力されるデータは、デマッピング回路１１に供給される。このデマッピング回路１１では、所定のキャリア変調方式に従ったデマッピング処理を行って、ＯＦＤＭ周波数領域信号の各サブキャリアに直交変調されているデータを復調する。ＩＳＤＢ−Ｔ規格では、キャリア変調方式としてＤＱＰＳＫ、ＱＰＳＫ、１６ＱＡＭ、６４ＱＡＭの変調方式が規定されている。このデマッピング回路１０では、デマッピング処理を行うために必要となるマッピングデータ等が後述するコントローラ１５によって設定される。
【００１９】
このデマッピング回路１１によって復調されたデータは、ビタビ復号及びリードソロモン復号を行う符号誤り訂正回路１２に供給される。
この符号誤り訂正回路１２では、送信側でパンクチュアード畳み込み符号で符号化されたデータをビタビ復号し、さらに外符号として付加されたリードソロモン符号を用いてエラー訂正処理を行ってから後段の例えばＭＰＥＧ復号回路等に供給される。
【００２０】
一方、高速フーリエ変換回路６から出力されるＴＭＣＣ信号は、フレーム抽出回路１３に供給され、このフレーム抽出回路１３でフレーム同期信号が抽出され、このフレーム同期信号が同期再生回路７に入力されると共に、ＴＭＣＣ信号がＴＭＣＣ復号回路１４に入力され、このＴＭＣＣ復号回路１４でＴＭＣＣ情報が復号され、このＴＭＣＣ情報がコントローラ１５に入力される。このＴＭＣＣ復号回路１４では、ＯＦＤＭシンボル内の所定のサブキャリア位置に挿入されているＴＭＣＣ信号を抽出し、このＴＭＣＣに記述されている情報を復号する。ＴＭＣＣには、テレビジョン放送システムのシステム識別情報、ＴＭＣＣ情報を切り替えるためのカウントダウン情報、緊急警報放送用起動フラグ、セグメント形式識別フラグ、キャリア変調方式、畳み込み符号化率、時間インタリーブパターン等の情報が記述されている。
【００２１】
コントローラ１５は、ＴＭＣＣ復号回路１４で復号されたＴＭＣＣ情報が入力され、このＴＭＣＣ情報をデジタル放送のチャンネル毎に放送時刻と共に格納する不揮発性メモリ１６に記憶されたＴＭＣＣ情報記憶テーブルを管理し、さらに、現在時刻における各チャンネルのＴＭＣＣ情報を不揮発性メモリ１６に形成したリアルタイムテーブルに抽出して、このリアルタイムテーブルに格納されている現在時刻におけるチャンネル毎のＴＭＣＣ情報に含まれる各種情報に基づいて各回路の制御及び装置全体の制御を行う。
【００２２】
ここで、ＴＭＣＣ情報記憶テーブルは、図２に示すように、視聴可能なデジタル放送のチャンネルＡ，Ｂ，Ｃと、各チャンネルＡ〜チャンネルＣの時刻毎の番組に対応するＴＭＣＣ情報とがテーブル化されている。
また、リアルタイムテーブルは、図３に示すように、現在時刻におけるチャンネルＡ〜チャンネルＣの現在番組に対応するＴＭＣＣ情報が格納されている。
【００２３】
そして、コントローラ１５で、図４に示すデータ再生処理を実行する。
このデータ再生処理は、図４に示すように、先ず、ステップＳ１で、デジタル放送受信装置１の電源がオフ状態であるスタンバイ状態であるか否かを判定し、スタンバイ状態であるときには、ステップＳ２に移行して、現在時刻をもとにＴＭＣＣ情報記憶テーブルを参照して、現在時刻における視聴可能なデジタル放送の各チャンネルの放送番組に対応するＴＭＣＣ情報を読出し、これをリアルタイムテーブルの各チャンネルのＴＭＣＣ情報記憶領域に書き込むリアルタイムテーブル書込処理を実行してから前記ステップＳ１に戻り、デジタル放送受信装置１の電源がオン状態であるときにはステップＳ３に移行して、電源がオフ状態からオン状態となった電源投入時であるか否かを判定し、電源投入時であるときには、ステップＳ４に移行して、現在設定されているチャンネル番号Ｎを読込み、次いでステップＳ５に移行して、チャンネル番号Ｎに基づいてリアルタイムテーブルを参照して現在のチャンネル番号に対応するＴＭＣＣ情報を読込んでからステップＳ６に移行する。
【００２４】
このステップＳ６では、読込んだＴＭＣＣ情報に基づいてこれに含まれる各種情報に基づいて各回路の制御及び装置全体の制御を行う。すなわち、ＴＭＣＣ情報に含まれるセグメント形式識別情報によって、セグメントが作動変調部であるか同期変調部であるかを識別すると共に、テレビジョン放送システムのシステム識別情報によって、地上デジタル放送システム、地上デジタル音声放送システムを判断し、これらシステムに応じた復号処理を設定する。また、伝送パラメータを切り替えるためのカウントダウン情報に基づいて伝送パラメータの切り替えがあることを認識すると共に、カウントダウン情報に基づいて切り替えタイミングを認識する。さらに、緊急警報放送用起動フラグが“１”にセットされているときには緊急警報放送を受信するために電源を投入して起動状態とする。そして、伝送パラメータとしては、キャリア変調方式、畳み込み符号化率、インタリーブ長，セグメント数等が設定されており、キャリア変調方式をキャリア復調回路７に設定すると共に、畳み込み符号化率を符号誤り訂正回路１１に設定し、時間インタリーブ長を時間デインタリーブ回路１３に設定する。
【００２５】
次いで、ステップＳ７に移行して、ＴＭＣＣ復号回路１４からＴＭＣＣ情報の復号が完了して復号ＴＭＣＣ情報が入力されたか否かを判定し、復号ＴＭＣＣ情報が入力されていないときには前記ステップＳ２に移行し、復号ＴＭＣＣ情報が入力されたときちは、ステップＳ８に移行して、リアルタイムテーブル１８から読出した記憶ＴＭＣＣ情報と復号ＴＭＣＣ情報とが一致するか否かを判定し、両者が一致する場合にはＴＭＣＣ情報が変更されていないものと判断して前記ステップＳ２に移行し、両者が不一致であるときにはＴＭＣＣ情報が変更されたものと判断してステップＳ９に移行する。
【００２６】
このステップＳ９では、復号ＴＭＣＣ情報に基づいて各回路を制御する制御処理を実行してからステップＳ１０に移行して、ＴＭＣＣ情報記憶テーブルに格納されている現在時刻の該当チャンネル番号のＴＭＣＣ情報を復号ＴＭＣＣ情報で書き換えてから前記ステップＳ２に移行する。
また、前記ステップＳ３の判定結果が電源投入時ではないときには、通常視聴時であると判断してステップＳ１１に移行し、チャンネル切換えが行われたか否かを判定し、チャンネル切換えが行われていないときには前記ステップＳ２に移行し、チャンネル切換えが行われたときには、前記ステップＳ４に移行する。
【００２７】
この図５の処理のうちステップＳ１〜Ｓ６及びＳ１１の処理がデータ再生制御部に対応し、ステップＳ７〜１０の処理がＴＭＣＣ情報更新手段に対応している。
次に、上記実施形態の動作を説明する。
今、ＴＭＣＣ情報記憶テーブル１７に、図２に示すように、視聴可能なデジタル放送のチャンネルに対応する各時刻の番組に対応するＴＭＣＣ情報が格納されているものとする。
【００２８】
このとき、デジタル放送受信装置１が、電源がオフ状態でデジタル放送を視聴していないスタンバイ状態にあるものとすると、図５のデータ再生処理では、ステップＳ１からステップＳ２に移行して、現在時刻をもとにＴＭＣＣ情報記憶テーブル１７を参照して、該当時刻における視聴可能なデジタル放送の各チャンネルに対応するＴＭＣＣ情報を読出し、これをリアルタイムテーブル１８に書き込むリアルタイムテーブル更新処理を実行している。このため、リアルタイムテーブルに記憶されている各チャンネルのＴＭＣＣ情報は常時現在時刻に対応したものとなっている。
【００２９】
このスタンバイ状態から、デジタル放送受信装置１の電源をオン状態として電源投入状態とすると、ＲＦ回路３で該当するチャンネルのデジタル放送電波を受信して、Ａ／Ｄ変換器４でデジタル信号に変換した後、デジタル直交復調回路５でＯＦＤＭ信号を復調し、高速フーリエ変換回路６で周波数領域のＯＦＤＭ信号に変換してキャリア復調回路８に出力する。
【００３０】
このとき、図５の処理でステップＳ１からステップＳ３を経てステップＳ４に移行して、現在のチャンネル番号Ｎを読込み、次いで読込んだチャネル番号Ｎをもとにリアルタイムテーブル１８を参照することにより、該当するチャンネル番号Ｎに対応するＴＭＣＣ情報を瞬時に読出することができ、読出したＴＭＣＣ情報に基づいて各回路及び装置全体を制御する。このため、ＴＭＣＣ復号回路１４からＴＭＣＣ情報が復号される前に、例えばキャリア復調回路８にキャリア変調方式を設定すると共に、時間デインタリーブ回路１０に時間インタリーブ長を設定し、さらに符号誤り訂正回路１２に畳み込み符号化率を設定して、高速フーリエ変換回路６から出力される放送信号を再生するデータ再生処理を直ちに開始することができ、同期再生回路７で同期を確立してからＴＭＣＣ復号回路１４でＴＭＣＣ情報を復号するまでに要する立ち上げ時間を待つことなくデータ再生を行うことができる。
【００３１】
しかも、この際に、リアルタイムテーブルに現在時刻に対応する各チャンネルのＴＭＣＣ情報が格納されているので、現在時刻を取込んで、現在時刻に基づいてＴＭＣＣ情報記憶テーブルを参照して該当するＴＭＣＣ情報を検索する場合に比較して検索時間を大幅に短縮することができ、電源投入時に直ちにデータ再生を行って、表示装置で画像情報を表示することができると共に、音声出力装置で音声情報を出力することができる。
【００３２】
その後、高速フーリエ変換回路６から出力される周波数領域におけるＯＦＤＭ信号のうちのＴＭＣＣ信号をフレーム抽出回路１３に供給することにより、フレーム同期信号を抽出し、このフレーム同期信号を同期再生回路７に供給することにより、ＯＦＤＭシンボル同期信号を再生し、これを高速フーリエ変換回路６に供給して同期を確立する。この同期を確立した状態で、ＴＭＣＣ復号回路１４でＴＭＣＣ情報が復号されることになり、この復号ＴＭＣＣ情報がコントローラ１５に入力されると、このコントローラ１５で実行する図４のデータ再生処理で、ステップＳ７からステップＳ８に移行し、ＴＭＣＣ情報記憶テーブル１７から読出した記憶ＴＭＣＣ情報とＴＭＣＣ復号回路１４で復号された復号ＴＭＣＣ情報とを比較して、両者が一致する場合には、ＴＭＣＣ情報記憶テーブル１７の書き換え処理を行うことなくステップＳ２に移行し、両者が不一致であるときには、ステップＳ９に移行して、復号ＴＭＣＣ情報に基づいて各回路を制御する制御処理を実行してからステップＳ１０に移行して、現在時刻のＴＭＣＣ情報記憶テーブルの該当チャンネルの記憶ＴＭＣＣ情報を復号ＴＭＣＣ情報に書き換えてＴＭＣＣ情報記憶テーブルを更新してからステップＳ２に移行する。
【００３３】
その後、電源投入状態が継続され、且つチャンネル番号が切換えられない場合には、ステップＳ１３からステップＳ１１に移行してからステップＳ２に移行して、リアルタイムテーブルの書込処理が継続的に行われる。
その後、ユーザーが例えばリモコンを操作してチャンネル番号Ｎを切換えたときには、ステップＳ１１からステップＳ４に移行して、チャネル番号Ｎを読込み、このチャンネル番号Ｎに基づいてリアルタイムテーブル１８から該当チャンネルのＴＭＣＣ情報を直ちに読出し、これに基づいて各回路を及び装置全体を制御することにより、ＴＭＣＣ復号回路１４で復号ＴＭＣＣ情報を復号するまでの時間を待つことなく、切換えたチャンネル番号Ｎのデジタル放送を直ちに再生することができる。
【００３４】
このように、上記実施形態によれば、リアルタイムテーブルが常時更新されて現在時刻に相当する視聴可能なデジタル放送における各チャンネルのＴＭＣＣ情報を格納しているので、このリアルタイムテーブルを参照することにより、現在時刻を意識することなく、ＴＭＣＣ情報を読出すことができ、記憶されたＴＭＣＣ情報の読出しを瞬時に行うことができ、電源投入時やチャンネル切換え時にデータ再生処理を待ち時間なく迅速に行うことができる。
【００３５】
しかも、ＴＭＣＣ情報記憶テーブル１７は、ユーザーがチャンネルを切換える毎に最新データに自動的に更新され、ＴＭＣＣ情報記憶テーブル１７に記憶されているＴＭＣＣ情報が更新される前に一時的にＴＭＣＣ情報の不一致による待ち時間が発生することはあるが、ＴＭＣＣ情報の更新は頻繁に行われるものではないので、問題となることはない。
なお、上記実施形態においては、ユーザーがチャンネル切換えを行う毎に、ＴＭＣＣ記憶テーブル１７にＴＭＣＣ情報を更新する場合について説明したが、これに限定されるものではなく、図５に示すようにデジタル放送の送信側で、１日、１週間、１カ月等の任意の所定期間における各チャンネルのＴＭＣＣ情報を一括ＴＭＣＣ情報として形成し、これをデジタル放送波に多重化して送信し、デジタル受信装置１で一括ＴＭＣＣ情報を受信処理してＴＭＣＣ情報記憶テーブル１７に一括記憶させるようにしてもよい。この場合に、デジタル放送受信装置１で、図６に示すように、多重化された一括ＴＭＣＣ情報を符号誤り訂正回路１２に含まれるトランスポートストリーム（ＴＳ）再生回路２１で再生し、ＭＰＥＧデコーダ２２でＭＰＥＧ方式の伸張処理を行って復号し、復号した一括ＴＭＣＣ情報をコントローラ１５に入力して、このコントローラ１５で一括ＴＭＣＣ情報をＴＭＣＣ情報記憶テーブル１７に一括更新するようにしてもよい。この場合には、ＴＭＣＣ情報記憶テーブル１７がチャンネル切換えにかかわらず最新状態に更新されるので、復号ＴＭＣＣ情報と記憶ＴＭＣＣ情報とが不一致となることを確実に回避して、電源投入時やチャンネル切換え時にデータ再生を迅速に開始することができる。しかも、データ再生処理で、記憶ＴＭＣＣ情報と復号ＴＭＣＣ情報とを比較する必要がなく、図４におけるステップＳ７〜Ｓ１０の処理を省略してデータ再生処理を簡略化することができる。
【００３６】
また、上記実施形態においては、不揮発性メモリ１６にＴＭＣＣ情報記憶テーブル１７及びリアルタイムテーブル１８を形成する場合について説明したが、これに限定されるものではなく、他のハードディスク装置等の記憶装置に形成するようにしてもよく、またリアルタイムテーブル１８についてはコントローラ１５に内装するＲＡＭに形成するようにしてもよい。
【図面の簡単な説明】
【００３７】
【図１】本発明の一実施形態を示すブロック図である。
【図２】ＴＭＣＣ情報記憶テーブルの構成を示す説明図である。
【図３】リアルタイムテーブルの構成を示す説明図である。
【図４】コントローラで実行するデータ再生処理手順の一例を示すフローチャートである。
【図５】ＴＭＣＣ情報を一括送信する場合の概略構成図である。
【図６】一括ＴＭＣＣ情報を再生処理する処理回路を示すブロック図である。
【符号の説明】
【００３８】
１…デジタル放送受信装置、２…アンテナ、３…ＲＦ回路、４…Ａ／Ｄ変換器、５…デジタル直交復調回路、６…高速フーリエ変換回路、７…同期再生回路、８…キャリア復調回路、９…周波数デインタリーブ回路、１０…時間デインタリーブ回路、１１…デマッピング回路、１２…符号誤り訂正回路、１３…フレーム抽出回路、１４…ＴＭＣＣ復号回路、１５…コントローラ、１６…不揮発性メモリ、１７…ＴＭＣＣ情報記憶テーブル、１８…リアルタイムテーブル、２１…トランスポートストリーム再生回路、２２…ＭＰＥＧデコーダ
【図１】
2006191266.tif 000003
【図２】
2006191266.tif 000004
【図３】
2006191266.tif 000005
【図４】
2006191266.tif 000006
【図５】
2006191266.tif 000007
【図６】
2006191266.tif 000008